(57)【要約】【課題】  光源の発光輝度のばらつきを低減した照明装置を提供する。【解決手段】  本発明に係る照明装置の第１実施形態であるヘッドアップディスプレイ装置Ｈ１は、被照明部材１２と、被照明部材１２を照明する光源１００を有する光源回路基板１０と、光源１００が所定の輝度で発光するように光源１００に流す電流を制御する制御手段２０と、を備えた照明装置であって、光源回路基板１０は、光源１００とは電気的に接続せず制御手段２０と電気的に接続するランク抵抗１０１を有し、制御手段２０は、ランク抵抗１０１の電気的抵抗値に基づいて光源１００に流す電流を補正する。【選択図】  図３
2018049763.tif 000002
【特許請求の範囲】
【請求項１】
被照明部材と、
前記被照明部材を照明する光源を有する光源回路基板と、
前記光源が所定の輝度で発光するように前記光源に流す電流を制御する制御手段と、を備えた照明装置であって、
前記光源回路基板は、前記光源とは電気的に接続せず前記制御手段と電気的に接続するランク抵抗を有し、
前記制御手段は、前記ランク抵抗の電気的抵抗値に基づいて前記光源に流す電流を補正する、
ことを特徴とする照明装置。
【請求項２】
前記制御手段を有する前記光源回路基板とは別体の制御回路基板を備え、
前記光源回路基板は、前記光源と電気的に接続する光源端子と、前記ランク抵抗に電気的に接続するランク抵抗端子と、を有するコネクタを備え、
前記制御手段は、前記コネクタを介して前記光源と前記ランク抵抗とに電気的に接続する、
ことを特徴とする請求項１に記載の照明装置。
【請求項３】
前記被照明部材は液晶パネルであり、
一端の開口に前記液晶パネルを配設し、他端の開口で前記光源を囲う筒状のライトボックスを備える、
ことを特徴とする請求項２に記載の照明装置。
【請求項４】
被照明部材と、
前記被照明部材を照明する光源を有する光源回路基板と、
前記光源が所定の輝度で発光するように前記光源に所定の電流を流す制御手段と、を備えた照明装置の製造方法であって、
前記光源回路基板は、他の回路素子とは電気的に接続しないランク抵抗を有し、
前記ランク抵抗の電気的抵抗値を測定する第１ステップと、
前記第１ステップで測定された電気的抵抗値に対応する制限抵抗を前記光源と前記制御手段との間に設ける第２ステップと、を有する、
ことを特徴とする照明装置の製造方法。
【発明の詳細な説明】
【技術分野】
【０００１】
本発明は、光源の発光輝度のばらつきを低減した照明装置に関する。
【背景技術】
【０００２】
従来の照明装置として、特許文献１に開示されたものがある。この照明装置は、複数の光源のランクに基づく電流値の補正データを記憶手段に記憶し、光源のランクに応じて補正データを切り替えて光源を駆動することにより、光源の発光輝度のばらつきを低減する。
【先行技術文献】
【特許文献】
【０００３】
【特許文献１】特開２００８−２２５４３８号公報
【発明の概要】
【発明が解決しようとする課題】
【０００４】
特許文献１に開示された照明装置においては、組み付け時に光源のランクと駆動電流設定とが一致しているか確認する工程が必要となる。この確認工程は、例えば、光源のランク情報を表す一次元コードあるいは二次元コードなどの符号情報を光源が実装されている回路基板にあらかじめ印字しておき、組み付け工程で当該符号情報と駆動電流設定とが合致するかを確認することによって行われる。
【０００５】
しかしながら、光源が実装された回路基板と、光源を駆動制御する制御回路基板と、が別の基板で構成され、光源が実装された回路基板が表示ユニットとしてユニット化される場合においては、光源が実装された回路基板にあらかじめ印字された光源のランクを表す符号情報が表示ユニット外部から視認できず、誤組みによって光源のランクと駆動電流設定とが合致しない状態で製造される虞がある。
【０００６】
本発明は、上述した課題に鑑みてなされたものであり、光源の発光輝度のばらつきを低減した照明装置および照明装置の製造方法を提供することを目的とする。
【課題を解決するための手段】
【０００７】
本発明に係る照明装置は、
被照明部材と、
前記被照明部材を照明する光源を有する光源回路基板と、
前記光源が所定の輝度で発光するように前記光源に流す電流を制御する制御手段と、を備えた照明装置であって、
前記光源回路基板は、前記光源とは電気的に接続せず前記制御手段と電気的に接続するランク抵抗を有し、
前記制御手段は、前記ランク抵抗の電気的抵抗値に基づいて前記光源に流す電流を補正する。
【０００８】
本発明に係る照明装置の製造方法は、
被照明部材と、
前記被照明部材を照明する光源を有する光源回路基板と、
前記光源が所定の輝度で発光するように前記光源に所定の電流を流す制御手段と、を備えた照明装置の製造方法であって、
前記光源回路基板は、他の回路素子とは電気的に接続しないランク抵抗を有し、
前記ランク抵抗の電気的抵抗値を測定する第１ステップと、
前記第１ステップで測定された電気的抵抗値に対応する制限抵抗を前記光源と前記制御手段との間に設ける第２ステップと、を有する。
【発明の効果】
【０００９】
本発明によれば、光源の発光輝度のばらつきを低減した照明装置を提供できる。
【図面の簡単な説明】
【００１０】
【図１】本発明の第１実施形態であるヘッドアップディスプレイ装置Ｈ１の構成概略図。
【図２】ヘッドアップディスプレイ装置Ｈ１の要部断面図。
【図３】ヘッドアップディスプレイ装置Ｈ１の電気的構成図。
【図４】本発明の第２実施形態であるヘッドアップディスプレイ装置Ｈ２の電気的構成図。
【発明を実施するための形態】
【００１１】
本発明に係る照明装置の実施形態を、第１実施形態であるヘッドアップディスプレイ装置Ｈ１と、第２実施形態であるヘッドアップディスプレイ装置Ｈ２と、によって説明する。
【００１２】
（第１実施形態）
ヘッドアップディスプレイ装置Ｈ１は、図１に示すように、表示ユニット１と制御回路基板２と反射鏡３，４と筐体５とを備える。ヘッドアップディスプレイ装置Ｈ１は、車両に搭載される。なお、表示ユニット１は、光源回路基板１０とレンズ１１と液晶パネル１２とライトボックス１３とを有し、筐体５は、出射口５０ａをカバーガラス５０ｂで覆った上ケース５０と、示ユニット１と制御回路基板２と反射鏡３，４とを収容する下ケース５１と、を有する。
【００１３】
表示ユニット１は表示光Ｌを発し、この表示光Ｌが反射鏡３，４を順に反射し、反射鏡４で反射した表示光Ｌが筐体５の出射口５０ａから出射される。出射口５０ａから出射された表示光Ｌは、投射部材（車両の風防ガラスあるいはコンバイナ）に投射されて、投射部材に虚像が表示される。
【００１４】
光源回路基板１０は、アルミニウム製の基材上に絶縁材が形成され、この絶縁材上に発光ダイオード（光源）１００とランク抵抗１０１とコネクタ１０２を有する回路基板である。ランク抵抗１０１は、発光ダイオード１００のランクに応じた電気的抵抗値の抵抗であり、発光ダイオード１００等の他の回路素子と電気的に接続しないダミー抵抗である。コネクタ１０２は、発光ダイオード１００のアノードとカソードにそれぞれ接続する光源端子１０２ａと、ランク抵抗１０１の両端にそれぞれ接続するランク抵抗端子１０２ｂと、を有する。光源回路基板１０は、発光ダイオード１００とランク抵抗１０１とコネクタ１０２とが設けられていない面（裏面）が下ケース５１に当接して螺子固定されている。
【００１５】
レンズ１１は、発光ダイオード１００が発した光を受けて、均一な平行光として液晶パネル１２の背面に向けて出射する。
【００１６】
液晶パネル１２は、透明電極膜が形成された一対の透光性基板に液晶層を封入した液晶セルの前後両面に偏光板を貼着した表示パネルであり、発光ダイオード１００の光により照明される被照明部材である。
【００１７】
ライトボックス１３は、開口１３ａと開口１３ｂを有する筒状のケース体である。ライトボックス１３は、一端の開口１３ａに液晶パネル１２を配設し、他端の開口１３ｂで光源回路基板１０の発光ダイオード１００を囲い、発光ダイオード１００が発する光が液晶パネル１２の表面以外から外部に漏れないようにするケース体である。また、このライトボックス１３は、発光ダイオード１００と液晶パネル１２の間にレンズ１１を収容している。
【００１８】
制御回路基板２は、マイクロコントローラ（制御手段）２０とコネクタ２１とを有する回路基板である。マイクロコントローラ２０は、ＣＡＮ（コントローラエリアネットワーク）などの車載ネットワーク６と電気的に接続し、この車載ネットワーク６から車両の走行速度やエンジン回転数などの種々の車両情報を取得する。マイクロコントローラ２０は、液晶パネル１２と電気的に接続し、車載ネットワーク６から取得した車両情報を表す画像を液晶パネル１２に表示させる。マイクロコントローラ２０は、コネクタ２１とコネクタ１０２を介して発光ダイオード１００に電気的に接続し、所定の輝度で発光するように発光ダイオード１００に所定の電流値を流して液晶パネル１２を背面から照明させる。これにより、表示ユニット１から車両情報を表す表示光Ｌが発せられる。
【００１９】
マイクロコントローラ２０は、コネクタ２１と１０２を介してランク抵抗１０１と電気的に接続し、ランク抵抗１０１の電気的抵抗値を取得して、この電気的抵抗値から発光ダイオード１００のランクを推定する。マイクロコントローラ２０は、推定した発光ダイオード１００のランクに応じて、所定の輝度に対応する所定の電流値の補正量を算出し、この補正量によって補正された電流値で発光ダイオード１００を発光させる。この電流値の補正量の算出は、ヘッドアップディスプレイ装置Ｈ１が起動される毎に実施するものであってよいが、好ましくは、初回に起動したときに１回だけ実施されることが好ましい。また、ヘッドアップディスプレイ装置Ｈ１を製造する過程で１回だけ実施されるようにしてもよい。
【００２０】
平面鏡（反射鏡）３は、平面状の反射面を形成した反射鏡である。平面鏡３は、表示ユニット１から発せられた表示光Ｌを凹面鏡４に向けて反射する。この反射により筐体５内を通る表示光Ｌの光路長を延ばすことで、投射部材のより前方に虚像を表示することができる。
【００２１】
凹面鏡（反射鏡）４は、凹面状の反射面を形成した反射鏡である。凹面鏡４は、平面鏡３が反射した表示光Ｌを凹面状の反射面で拡大して投射部材に向けて反射する。
【００２２】
以上のように、本発明に係る照明装置の第１実施形態であるヘッドアップディスプレイ装置Ｈ１は、被照明部材１２と、被照明部材１２を照明する光源１００を有する光源回路基板１０と、光源１００が所定の輝度で発光するように光源１００に流す電流を制御する制御手段２０と、を備えた照明装置であって、光源回路基板１０は、光源１００とは電気的に接続せず制御手段２０と電気的に接続するランク抵抗１０１を有し、制御手段２０は、ランク抵抗１０１の電気的抵抗値に基づいて光源１００に流す電流を補正する。
このように構成することで、制御手段２０が、ランク抵抗１０１の電気的抵抗値により光源１００のランクを得て、光源１００のランクに合わせた電流値を設定できるので、光源１００の発光輝度のばらつきを低減できる。また、光源回路基板１０がライトボックス１３によって覆われて表示ユニット１として組み付けられた状態であっても、光源１００のランクの取得ができ、誤組みを防ぐことができる。
【００２３】
（第２実施形態）
ヘッドアップディスプレイ装置Ｈ２の電気的構成を、図４を参照して、第１実施形態であるヘッドアップディスプレイ装置Ｈ１との差分によって説明する。
【００２４】
制御回路基板２は、マイクロコントローラ（制御手段）２０とコネクタ２２と制限抵抗２３を有する回路基板である。マイクロコントローラ２０は、コネクタ２２を介して発光ダイオード１００に電気的に接続し、所定の輝度で発光するように発光ダイオード１００に所定の電流値を流して液晶パネル１２を背面から照明させる。また、発光ダイオード１００とマイクロコントローラ２０との配線の間には、光源回路基板１０の発光ダイオード１００のランクに対応する制限抵抗２３が配設されており、どのランクの発光ダイオード１００も所定の電流値を流すことによって所定の輝度で発光するようになっている。この制限抵抗２３は、次に示す手順で制御回路基板２に配設される。
【００２５】
（第１ステップ）
光源回路基板１０のコネクタ１０２のランク抵抗端子１０２ｂに、マルチメータ（回路試験器）を接続し、ランク抵抗１０１の電気的抵抗値を測定する。
【００２６】
（第２ステップ）
ランク抵抗１０１の電気的抵抗値から光源１００のランクを特定し、特定した光源１００のランクに対応する制限抵抗２３を、制御回路基板２のマイクロコントローラ２０の光源１００に電流を流す配線上に配設する。
【００２７】
以上のように、本発明に係る照明装置の第１実施形態であるヘッドアップディスプレイ装置Ｈ２の製造方法は、被照明部材１２と、被照明部材１２を照明する光源１００を有する光源回路基板１０と、光源１００が所定の輝度で発光するように光源１００に所定の電流を流す制御手段２０と、を備えた照明装置であって、光源回路基板１０は、他の回路素子とは電気的に接続しないランク抵抗１０１を有し、ランク抵抗１０１の電気的抵抗値を測定する第１ステップと、第１ステップで測定された電気的抵抗値に対応する制限抵抗２３を光源１００と制御手段２０との間に設ける第２ステップと、を有する。
このように構成することで、光源回路基板１０がライトボックス１３によって覆われて表示ユニット１として組み付けられた状態であっても、光源１００のランクの取得ができ、誤組みを防ぐことができる。そのため、光源１００のランクに合わせた電流値を設定できるので、光源１００の発光輝度のばらつきを低減できる。
【００２８】
以上、本発明に係る照明装置の実施形態である第１実施形態と第２実施形態とを説明した。
【００２９】
本発明は、上記実施形態の要旨を逸脱しない範囲において、種々の改良、並びに設計の変更が可能である。
【００３０】
例えば、ヘッドアップディスプレイ装置Ｈ１，Ｈ２に適用する実施形態を説明したが、これに限定されず、指針式計器に適用してもよい。この場合、指針に指示される指標を形成した文字板が被照明部材となる。
【００３１】
例えば、第２実施形態であるヘッドアップディスプレイ装置Ｈ２の第２ステップは、特定した光源１００のランクに対応する制限抵抗２３を制御回路基板２のマイクロコントローラ２０の光源１００に電流を流す配線上に配設する手順としたが、予め各ランクに応じた制限抵抗２３を配設した制御回路基板２から特定した光源１００のランクに対応する制御回路基板２を選択して組み付ける手順としてもよい。
【符号の説明】
【００３２】
１      ：表示ユニット
１０    ：光源回路基板
１００  ：発光ダイオード（光源）
１０１  ：ランク抵抗
１０２  ：コネクタ
１０２ａ：光源端子
１０２ｂ：ランク抵抗端子
１１    ：レンズ
１２    ：液晶パネル（被照明部材）
１３    ：ライトボックス
１３ａ  ：開口
１３ｂ  ：開口
２      ：制御回路基板
２０    ：マイクロコントローラ（制御手段）
２１    ：コネクタ
２２    ：コネクタ
２３    ：制限抵抗
３      ：平面鏡（反射鏡）
４      ：凹面鏡（反射鏡）
５      ：筐体
５０    ：上ケース
５０ａ  ：出射口
５０ｂ  ：カバーガラス
５１    ：下ケース
６      ：車載ネットワーク
７      ：マルチメーター（回路試験器）
【図１】
2018049763.tif 000003
【図２】
2018049763.tif 000004
【図３】
2018049763.tif 000005
【図４】
2018049763.tif 000006